(57)【特許請求の範囲】
【請求項１】
上下配列位置に配列した第１、第２の各収納部と、前記第１、第２の各収納部を支持アームの両端部に回動自在に支持して第１の収納部と第２の収納部とを連結し、支持アームの中間部に設けた回転支点で回転することにより前記第１、第２の各収納部の上下位置を入れ換え可能に支持する収納部支持手段と、前記回転支点をその軸線と直角な向きに水平移動できるように支持する摺動支持部と、一方の収納部をほぼ鉛直方向に移動させる案内手段と、動作速度を抑制する荷重緩衝手段を備えた昇降収納装置。
【請求項２】
上下配列位置において、第１、第２の収納部の上下位置を入れ換えても、支持支点の軸がほぼ垂直位置に配列する請求項１に記載の昇降収納装置。
【請求項３】
第１、第２の各収納部を所定の姿勢に規制する姿勢規制手段を備えた請求項１または２に記載の昇降収納装置。
【請求項４】
荷重緩衝手段は、直動型ダンパー装置で構成した請求項１ないし３のいずれか１項記載の昇降収納装置。
【請求項５】
緩衝手段は鉛直方向に移動する収納部側の昇降運動に連動しその昇降ストロークを減幅させるてこ機構と、前記てこ機構の減幅作用点に配置したダンパー装置とからなる請求項１ないし４のいずれか１項記載の昇降収納装置。
【請求項６】
直動型ダンパー装置はシリンダーとピストンで構成され、ピストンの押し込み方向にダンパー力が働くオイル圧縮タイプで、てこ機構の減幅作用点の上方と下方に、直動型ダンパー装置をピストンの往復駆動シャフト側を上向きに直列配置した請求項５に記載の昇降収納装置。
【請求項７】
てこ機構の増幅側作用点を支持アーム上に係止し、減幅作用点を鉛直方向に移動する収納部の側面と背面のコーナー部近傍に配置した請求項５または６に記載の昇降収納装置。
【請求項８】
てこ機構の増幅側作用点を鉛直方向に移動する収納部の背面に係止し、減幅作用点を鉛直方向に移動する収納部の側面と背面のコーナー部近傍に配置した請求項５または６に記載の昇降収納装置。
【請求項９】
前記請求項１〜８のいずれか１項に記載の昇降収納装置を、前面が開口したキャビネットの内部に配設した昇降収納キャビネット。
【発明の詳細な説明】
【０００１】
【発明の属する技術分野】
本発明は、上下に配列した２つの収納部を必要に応じてその上下位置をそれぞれの昇降により入れ換えられる昇降収納装置に関するものである。
【０００２】
【従来の技術】
吊り戸棚は元来、デッドスペースとなりがちな高所空間を有効に利用するのに利用されてきた。しかし、収納部が高所であるため踏み台等を用いないと物を自由に出し入れできない。近時では、吊り戸棚などの高所に設置される収納部を昇降できるように支持し、物の出し入れは下部位置で行い、収納は上部位置で行う昇降収納装置が提案され、実用されている。すなわち図１１に示すように、収納部１０１を平行リンクに構成された支持アーム１０２に支持させ、収納キャビネット１０３に内装させたものである。図中１０４は厨房装置等の作業台である。参考文献としては特開平７−１４８０２９号公報、特開平７−１４８０３１公報他があげられる。
【０００３】
しかし、このような昇降収納装置では、昇降する高さ距離が小さいためキャビネット１０３をあまり高い位置に配置することができないという問題点があった。また、収納物により収納部１０１の重量が増したときに、上昇させるための操作に大きな力を加える必要があり、非力な女性や子供が使用するのに難があった。そして、このような昇降収納装置を図１１のように厨房装置等の作業台上部に設置した場合では、収納部１０１はキャビネット１０３の手前側が下降位置となるので、収納部１０１を下降させた状態では流し台等の作業台１０４での作業ができなくなるという課題があった。
【０００４】
そこで、本出願人は新たに図１２、図１３のような昇降収納装置を提案した。すなわち本提案の昇降収納装置は、互いに連携する連携手段を設けた２つの収納部を上下に配置することにより、上方の収納部を約１８０度の回動により降下させると、その勢いで下方の収納部を上昇させて上下位置を入れ換えることができるというものである。具体的には、上下に配列した第１の収納部１１１と第２の収納部１１２と、各収納部を支持支点１１３、１１４で回転自在に支持して各収納部を連結し、支持支点１１３、１１４の間に設定した回転支点１１５を中心として回転する支持部材１１６と、回転支点１１５をその軸線と直角な向きに水平方向に移動できるように支持する摺動支持部１１７と、第１の収納部１１１の背部にローラー１１８を設け、キャビネット１１９の背板１１９ａにローラー１１８を当接させる構成としたものである。１２０は収納部１１２に設けられた把手である。
【０００５】
この昇降収納装置は、使用者が把手１２０を握り、収納部１１２を前方に引き出すと、収納部１１２を支持し、収納部１１１と連結させている支持部材１１６が回転支点１１５を中心として回転するので、収納部１１２は上昇方向へ移動すると同時に収納部１１１を下降方向へと移動させる。収納部１１１の背部に設けられたローラー１１８は背板１１９ａに当接し、移動時における収納部１１１の後方への突出を許さない構成としているので、支持部材１１６は回転支点１１５を摺動支持部１１７を介して前方へ移動させ、収納部１１１、１１２の干渉を最小限に抑えながら入れ換え動作を完了する。
【０００６】
このように、本提案による昇降収納装置により、昇降する高さ距離を従来より大きく取ることが可能となり、より高い位置への設置が実現できると共に、各収納部の重量が増したときでも、一方の収納部の下降の勢いによりもう一方の収納部の上昇方向への力を軽減することができ、非力な女性や子供や高齢者にとっても使いやすい昇降収納装置を実現することが可能となった。加えて１８０度の回動により下降時における収納部の収納箱体前方への突出分がなくなるので、収納部を下降させた状態での流し台等の作業台での作業が可能となるという効果があった。
【０００７】
また、第１と第２の収納部の重量がほぼ均等に釣り合った状態で使用すると、各収納部の上下入替え操作も極めてスムーズに行えるという効果がある。
【０００８】
【発明が解決しようとする課題】
しかしながら、このような昇降収納装置であっても、第１と第２の収納部の重量差が大きい場合、重量の大きい収納部側が急激に降下するため、安全上の配慮が求められた。また重量の大きい収納部側が降下して最下位置で急停止する時、その慣性力で大きな衝撃が加わるため、各部に破損が生じやすく、耐久性の向上が求められた。
【０００９】
本発明の目的は、上下入れ換え昇降操作がいつもスムーズで、かつ安全性や耐久性の高い昇降収納装置を提供することにある。
【００１０】
【課題を解決するための手段】
上記課題を解決するため、本発明の昇降収納装置は、上下に配列した第１、第２の各収納部と、前記第１、第２の各収納部を収容するキャビネットと、前記第１、第２の各収納部の上下位置を入れ換え可能に支持する収納部支持手段と、前記第１、第２の各収納部の上下位置入れ換え時の各収納部の荷重差で生じる偏荷重を緩衝する荷重緩衝手段とからなる構成としてある。
【００１１】
上記発明によれば、各収納部の上下入れ替わり運動が急激に動作しないよう、荷重緩衝手段がその動作速度を抑制するので、仕様項操作がいつでもスムーズに行え、安全である。
【００１２】
【発明の実施の形態】
本発明の請求項１にかかる昇降収納装置は、上下配列位置に配列した第１、第２の各収納部と、前記第１、第２の各収納部を支持アームの両端部に回動自在に支持して第１の収納部と第２の収納部とを連結し、支持アームの中間部に設けた回転支点で回転することにより前記第１、第２の各収納部の上下位置を入れ換え可能に支持する収納部支持手段と、前記回転支点をその軸線と直角な向きに水平移動できるように支持する摺動支持部と、一方の収納部をほぼ鉛直方向に移動させる案内手段と、動作速度を抑制する荷重緩衝手段を備えた構成としてある。
【００１３】
従って、各収納部の上下入れ替わり運動が急激に動作しないよう、荷重緩衝手段がその動作速度を抑制するので、昇降操作がいつでもスムーズに行え、安全であるうえに、各収納部は支持アームによって回転自在に支持されているから上下位置の入れ換えが円滑なものとなるのに加え、収納部の一方はほぼ鉛直方向に移動するので、両方の収納部が水平方向に突出移動する場合に比べ少スペースでの入れ換えが可能となる。
【００１４】
本発明の請求項２にかかる昇降収納装置は、上下配列位置において、第１、第２の収納部の上下位置を入れ換えても、支持支点の軸がほぼ垂直位置に配列する構成であり、これにより収納部を上下入れ換えても収納部が収納箱体より前方への突出することがない。
【００１５】
本発明の請求項３にかかる昇降装置は、第１、第２の各収納部を所定の姿勢に規制する姿勢規制手段を備えた構成としてあり、各収納部は上下入れ換えに際してその姿勢が安定したものとなり、内部に収納した収納物が脱落することが無くて安全である。
【００１６】
本発明の請求項４にかかる昇降装置は、荷重緩衝手段を直動型ダンパー装置で構成してあり、直動型であるから設置スペースも少なくて済みコンパクト化できる。
【００１７】
本発明の請求項５にかかる昇降装置は、緩衝手段を鉛直方向に移動する収納部側の昇降運動に連動しその昇降ストロークを減幅させるてこ機構と、前記てこ機構の減幅作用点に配置したダンパー装置とで構成してあり、鉛直方向に移動する収納部には、てこ機構を介してダンパー装置が働き上下入替え動作が急速度になるのを抑制しているため、安全な動作速度での使用が可能となる。
【００１８】
本発明の請求項６にかかる昇降収納装置の直動型ダンパー装置は、シリンダーとピストンで構成され、ピストンの押し込み方向にダンパー力が働くオイル圧縮タイプで、てこ機構の減幅作用点の上方と下方に、直動型ダンパー装置をピストンの往復駆動シャフト側を上向きにして直列配置したものであり、てこ機構の減幅作用点が上方に移動するとき、直列配置された上方側のダンパー装置が圧縮されてダンパー力が働き、反対にてこ機構の減幅作用点が下方に移動するとき、直列配置された下方側のダンパー装置が圧縮されてダンパー力が働くので、各収納部の上下入替え動作の往復動作間共に、ダンパーによる動作速度抑制効果を得ることができる。また直列配置したダンパーは双方共、ピストンの往復駆動シャフト側を上向きにして取り付けているので、シャフトの摺動部からオイルが漏れにくく、安定したダンパー機構を構成することができる。
【００１９】
本発明の請求項７にかかる昇降収納装置は、てこ機構の増幅側作用点を支持アーム上に係止し、減幅作用点を鉛直方向に移動する収納部の側面と背面のコーナー部近傍に配置してあり、減幅作用点に取り付けた直動型ダンパーは各収納部の上下動作や各収納部を支持する支持アームの回転動作に干渉しにくい余空間に配置されているため、収納容積効率の高い昇降収納装置が可能となる。
【００２０】
本発明の請求項８にかかる昇降収納装置は、てこ機構の増幅側作用点を鉛直方向に移動する収納部の背面に係止し、減幅作用点を鉛直方向に移動する収納部の側面と背面のコーナー部近傍に配置してあり、減幅作用点に取り付けた直動型ダンパーは各収納部の上下動作や各収納部を支持する支持アームの回転動作に干渉しにくい余空間に配置されているため、収納容積効率の高い昇降収納装置が可能となる。
【００２１】
本発明の請求項９にかかる昇降収納キャビネットは、本願請求項１〜８のいずれか１項に記載の昇降収納装置を、前面が開口したキャビネットの内部に配設することにより、第１、第２の各収納部の上下入れ換わり時に荷重緩衝手段がその動作速度を抑制するので、昇降操作がいつでもスムーズに行え、安全である。
【００２２】
【実施例】
以下、本発明の実施例について図面を用いて説明する。
【００２３】
（実施例１）
図１〜図８は本発明の実施例１を示す。
【００２４】
まず、実施例１が採用している昇降機構を、図１〜図５を用いて説明する。
【００２５】
図１は本発明の実施例１における昇降機構の説明のための側方断面図である。図２は同実施例における昇降機構の正面要部断面図である。図３は同実施例における昇降機構のキャビネットを除いた状態における斜視図である。図４は一方の昇降機構を正面から見た要部断面図である。図５（ａ）〜（ｇ）は同実施例における昇降機構の入れ換え動作順序を説明する側面図である。
【００２６】
まず、実施例１が採用している昇降機構から説明する。図１が示すように、昇降機構１は、第１の収納部２の支持支点Ｐ１と第２の収納部３の支持支点Ｐ２との間を連結する支持アーム４からなる収納部支持手段（以下支持アームという）と、収納部２、３をその上下配置位置において収容し前面を開口したキャビネット５の両側板に取り付けられて前記支持アーム４の回転支点Ｏを水平方向に移動自在に支持する摺動支持部６と、第１の収納部２を回転角度にかかわらず一定の水平姿勢に維持する第１の姿勢規制手段７ａと、第２の収納部３の水平姿勢を維持する第２の姿勢規制手段７ｂと、その昇降時の移動経路を規制する案内手段８とを備えている。そして上記案内手段８を構成するガイド９ａはキャビネット５の背面に取り付けられ、ガイド９ａは第２の収納部３の背部の上下に設けられたガイドローラー９ｂを受け入れて前後の移動を阻止し、収納部３を垂直方向にだけ動くように案内する。
【００２７】
以上の昇降機構１は図２に示すように、左右対称位置に昇降機構１Ｌ、１Ｒとして配備され、各支持アーム４Ｌ、４Ｒの各回転支点Ｏ間は連結軸１０で連結され、左右の昇降機構１Ｌ、１Ｒが同期して動作するように構成されている。これにより第１、第２の各収納部２、３は左右が一体に支持され、収納物の片寄りにより荷重が左右でアンバランスな状態でも、ねじれたり傾くようなことがなく、左右の動きに差が生じるようなことが解消される。
【００２８】
図４に示す昇降機構１Ｌを例にしてさらに説明すると、支持アーム４Ｌはその回転支点Ｏに対応する中間部で連結軸１０で連結され、水平移動軸１１Ｌによりキャビネットの側板内面１２に回動自在に支持され、水平移動軸１１Ｌはその上下に配したローラ１３ａ，１３ｂを摺動支持部６Ｌの上下にコの字状の断面形状に形成された凹部に装入させ、摺動支持部６Ｌを水平方向に円滑に移動できるようにされている。また、水平移動軸１１Ｌの先端には固定プーリ１４Ｌが回転支点Ｏと同心で固定されている。
【００２９】
支持アーム４Ｌの両端部の支持支点Ｐ１，Ｐ２位置に固定された軸１５Ｌａ、１５Ｌｂにはそれぞれ回転プーリ１６Ｌと回転輪１７Ｌが同心で回動自在に装着され、この回転プーリ１６Ｌには第１の収納部２が、回転輪１７Ｌには第２の収納部３が、それぞれ側板２Ｌ、３Ｌのほぼ中央部で固定支持されている。
【００３０】
上記の固定プーリ１４Ｌと回転プーリ１６Ｌは同径寸法に設定され、両者間にはタイミングベルト１８が掛け渡され、第１の姿勢規制手段７ａを構成している。
【００３１】
ここで、昇降機構１による各収納部２、３の昇降動作について図５の（ａ）〜（ｇ）に基づき説明する。
【００３２】
図５の（ａ）に示すようにキャビネット５に収納された第１の収納部２と第２の収納部３との上下位置を入れ換えるときには、ガイドローラー９ｂを持たない第１の収納部２の操作ハンドルＡを手前に引き出す。すると第１の収納部２は支持支点Ｐ１が支持アーム４の回転支点Ｏを中心として前方に回動されるので、第２の収納部３は支持支点Ｐ２が後方に回動しようとするが、第２の収納部３側はガイドローラー９ｂをガイド９ａ押し付けて受け止められていることにより垂直方向の案内を受けるので、支持アーム４が回動する動作でその回転支点Ｏを摺動支持部６内で水平方向に押し出しながら、図５（ｂ）〜（ｄ）に示すように第２の収納部３は第１の収納部２の回動に伴って垂直方向に上昇する。
【００３３】
図５（ｄ）に示す状態からさらに第１の収納部２を回動させると、前記と反対に支持アーム４の回動支点Ｏは元の位置に戻る方向に引き寄せられ、図５の（ｅ）〜（ｆ）に示すように、第１の収納部２は回動しつつキャビネット５内の下方に進入して行くのに連動して、第２の収納部３は垂直方向にさらに上昇し、図５の（ｇ）に示すように第１の収納部２が第２の収納部３が元配列されていた下方位置に入ったとき、第２の収納部３は第１の収納部２が元配列されていた上方位置に上昇して、第１の収納部２と第２の収納部３との配列位置が上下入れ替わる。
【００３４】
図５の（ｇ）に示す状態から第１の収納部２を引き出し、上記操作と逆方向に回動させると、第２の収納部３は垂直方向に下降し、図５の（ｆ）〜（ａ）の逆動作でそれぞれ元の配列位置に復帰させることができる。
【００３５】
このような各収納部２、３の上下入れ換え動作において、第１の収納部２は支持アーム４によって支持支点Ｐ１に１軸で回動自在に支持されているので、支持支点Ｐ１に対する第１の収納部２の重心のずれや第１の収納部２の回動操作により水平姿勢が傾こうとする。ここで第１の収納部２に固定支持されている回転プーリ１６は回転支点Ｏにある固定プーリ１４との間でタイミングベルト１８が掛け渡され、滑りのない形で回転連動している。今、回転プーリ１６と固定プーリ１４は同径に設定しており、タイミングベルト１８は第１の収納部２が回動して支持アーム４の支持角度が変化する方向と逆の方向に同角度だけ第１の収納部２を回転させる働きを営み、結果として第１の収納部２は常にその水平姿勢を維持することができる。
【００３６】
次に前記の昇降機構をベースに、図６、図７、図８を用いて、荷重緩衝手段となるてこ機構１９と直動型ダンパー装置２０を付加した構成を説明する。
【００３７】
なお、図６は本実施例における昇降収納装置の側方断面図である。図７は同実施例における昇降収納装置の引出し状態における平面断面図である。図８は入れ換え動作順序を説明する側方断面図である。
【００３８】
前記の支持アーム４には、レバー係止ピン２１が回転支点Ｏと支持支点Ｐ２との間に設けられ、またキャビネットの側板１２に取り付けられた保持金具２２上には、レバー支持ピン２３が設けられている。２４はレバーアームで、支点がレバー支持ピン２３に回転自在に締結され、レバーアーム２４の増幅作用点２５には長円が形成され、ここにレバー係止ピン２１が摺動自在に嵌合し、またレバーアーム２４の他端の減幅作用点２６にはダンパー支持穴２７が形成されている。
【００３９】
２０ａ、２０ｂは、キャビネット５の側面１２と背面２８のコーナー部に配置された直動型のダンパー装置で、シリンダー内に封入されたオイルをピストンが圧縮する際にピストンに設けられたオリフィス穴からオイルが流出する抵抗によりダンパー力が働くようにしたものであり、ピストンの往復駆動シャフト２９ａ、２９ｂを上方にして上下２個直列に接続ピン３０で連結され、接続ピン３０はダンパー支持穴２７に回転自在に締結されている。また直列配置されたダンパー装置２０の各端部３１ａ，３１ｂはそれぞれ保持金具２２に回転自在に保持されている。
【００４０】
ここで図８の各収納部２、３の昇降動作において、てこ機構１９とダンパー装置２０の動作と作用について説明すると、第１の収納部２を手前に引き出して回動降下させる動作に伴って、第２の収納部３は垂直方向に上昇する。このとき支持アーム４に固定されたレバー係止ピン２１はレバーアーム２４の増幅作用点２５を図８の（ａ）から（ｄ）（ｇ）へと上方に押し上げていき、その結果レバーアーム２４はレバー支持ピン２３を支点に回転し、他端の減幅作用点２６を押し下げる。ここで、減幅作用点２６に連結された下側のダンパー装置２０ｂは圧縮され、ダンパー制動力が働く。
【００４１】
一般に、オイル式の直動型ダンパーはダンパーを圧縮する動作が速くなるほど大きなダンパー制動力が働く特性があり、各収納部２、３の昇降動作が危険なほど速くなろうとするとき、これを効果的に抑制することができる。
【００４２】
また図８の（ｇ）に示す状態から第１の収納部２を手前に引き出し、上記と逆方向に動作させるときには、減幅作用点２６に連結された上側のダンパー装置２０ａが圧縮され、同様のダンパー制動力を発生させることができる。
【００４３】
またこの実施例では、ダンパー装置は直動型のオイル圧縮タイプを直列に連結配置し、各収納部の昇降往復動作においてダンパー制動力を働かせる方法としている。一般に直動型ダンパー装置は圧縮方向にのみダンパー力が働くタイプと圧縮伸張の方向共に働く双方向タイプとがあるが、双方向タイプは伸張時においてピストン駆動シャフト部にオイル圧が加わるため、シャフト摺動部のオイルシール安定化が難しく、またコスト的に高価なものとなる。本実施例では双方向ダンパーを使用せず圧縮方向タイプを直列配備することにより双方向にダンパー制動力を働かせるようにしているので、オイル漏れなどに対する信頼性や耐久性が極めて高く、低コストなものにできるという効果がある。加えて、ダンパー装置は上下共、駆動シャフト側を上方にして直列配備させているため、駆動シャフトの摺動部が摩耗してもここからオイルが滴下しにくく、より安定性の高いものとなっている。
【００４４】
このようにこの実施例１によれば、収納物品の出し入れし易い高さに各収納部の上下配置を簡単に入れ換えすることができ、これにより高所収納部や低所収納部の収納品出し入れ性が大きく向上し、空間の有効活用が促進される。また、各収納部の重量差が大きくアンバランスとなって上下入れ換え昇降動作が急激なものとなり危険な状態になるのをダンパー装置による制動力で防止するため、使用上の安全が確保できる。また、ダンパー装置はてこ機構により、その動作寸法が減幅されるため小ストロークのものをコンパクトに組み込めると共に、てこ機構は各収納部のうち、鉛直方向に移動する収納部側に連動するようにしているので、てこ機構の作用点が収納部の昇降動作中にキャビネットの外方に突出することがなく、外観上も安全上も良好なものにすることができる。
【００４５】
（実施例２）
次に、本発明の実施例２の昇降収納装置を図９、１０を用いて説明する。
【００４６】
なお、図９、１０は本発明の実施例２の昇降収納装置を示す正面図と平面図である。
【００４７】
また、実施例１と同一符号のものは同一構造を有し、説明は省略する。
【００４８】
本実施例２において実施例１と異なる点は、てこ機構１９の配置方法であり、レバーアーム２４の一方はその増幅作用点２５側に形成された長円を、鉛直方向に移動する第２の収納部３の本体背面に設けられたレバー係止ピン２１に係合させ、保持金具２２のレバー支持ピン２３を回転支点として、他方の減幅作用点２６にダンパー装置２０ａ、２０ｂを連結し、ダンパー装置２０ａ、２０ｂはキャビネット５の側面１２と背面２８のコーナー部の余空間に配置されている。なお、第２の収納部３の鉛直移動を案内するガイド９ａはレバーアーム２４の回動範囲においてそれと干渉しないよう、逃げ穴３２を設けてある。
【００４９】
ここで、鉛直動作側の第２の収納部３の昇降に連動して、てこ機構１９はダンパー装置２０ａ、２０ｂを交互に圧縮させて第１の実施例と同様にダンパー制動力を発揮する。
【００５０】
なお、以上の各実施例においては、ダンパー装置を直動式オイルダンパーとして実施しているが、上下動にかかる荷重を軽減することが可能なものであれば、エアダンパー、ロータリーダンパー、ガススプリング等どのようなものを採用しても本願目的を達成することが出来るものである。また、キャビネット５は前面が開口し、各収納部は一方がほぼ鉛直に、他方が前方に突出して回動するようにしたが、これに限られるものではなく、例えばキャビネットは前後両面が開口していて各収納部は前後の開口から突出しながら回動して上下の位置を入れ換えるように構成してもよいものである。
【００５１】
【発明の効果】
以上説明したように本発明の請求項１に係る昇降収納装置は、第１、第２の各収納部の上下入れ換わり時に荷重緩衝手段がその動作速度を抑制するので、昇降操作がいつでもスムーズに行え、安全であるうえに、各収納部は支持アームによって回転自在に支持されているから上下位置の入れ換えが円滑なものとなり、収納部の一方はほぼ鉛直方向に移動するので、両方の収納部が水平方向に突出移動する場合に比べ少スペースでの入れ換えが可能となる。
【００５２】
本発明の請求項２にかかる昇降装置は、収納部の上下位置を入れ換えても、支持支点の軸がほぼ垂直位置に配列する構成であり、これにより収納部を上下入れ換えても収納部が収納箱体より前方への突出することがない。
【００５３】
本発明の請求項３にかかる昇降装置は、各収納部が上下入れ換えに際してその姿勢が安定したものとなり、内部に収納した収納物が脱落することが無くて安全である。
【００５４】
本発明の請求項４にかかる昇降装置は、設置スペースも少なくて済みコンパクト化できる。
【００５５】
本発明の請求項５にかかる昇降装置は、鉛直方向に移動する収納部にてこ機構を介してダンパー装置が働き上下入替え動作が急速度になるのを抑制しているため、安全な動作速度での使用が可能となる。
【００５６】
本発明の請求項６にかかる昇降収納装置の直動型ダンパー装置は、各収納部の上下入替え動作の往復動作間共に、ダンパーによる動作速度抑制効果を得ることができる。
【００５７】
本発明の請求項７にかかる昇降収納装置は、減幅作用点に取り付けた直動型ダンパーは各収納部の上下動作や各収納部を支持する支持アームの回転動作に干渉しにくい余空間に配置されているため、収納容積効率の高い昇降収納装置が可能となる。
【００５８】
本発明の請求項８にかかる昇降収納装置は、減幅作用点に取り付けた直動型ダンパーは各収納部の上下動作や各収納部を支持する支持アームの回転動作に干渉しにくい余空間に配置されているため、収納容積効率の高い昇降収納装置が可能となる。
【００５９】
本発明の請求項９にかかる昇降収納キャビネットは、第１、第２の各収納部の上下入れ換わり時に荷重緩衝手段がその動作速度を抑制するので、昇降操作がいつでもスムーズに行え、安全である。
【図面の簡単な説明】
【図１】  本発明の実施例１における昇降収納装置の側方断面図
【図２】  図１の昇降収納装置の正面要部断面図
【図３】  図１の昇降収納装置の斜視図
【図４】  図２の一方の昇降機構を正面から見た要部断面図
【図５】  （ａ）〜（ｇ）は図１の昇降収納装置の入れ換え動作順序を説明する側方断面図
【図６】  同実施例１における昇降収納装置の側方断面図
【図７】  同実施例１における昇降収納装置の引出し状態の平面断面図
【図８】  （ａ）、（ｄ）、（ｇ）同実施例１における入れ換え動作順序を説明する側方断面図
【図９】  本発明の実施例２における昇降収納装置を示す。左半面は昇降機構部だけの断面図で、右半面は昇降機構部の奥にある、てこ機構とダンパー装置の構造を示す正面図
【図１０】  同実施例における昇降収納装置の引出し状態の平面断面図
【図１１】  従来の昇降収納装置を示す側方断面図
【図１２】  本出願人の提案する昇降収納装置を示す側方断面図
【図１３】  （ａ）〜（ｇ）は同昇降収納装置の入れ換え動作順序を説明する側方断面図
【符号の説明】
１  昇降機構
２  第１の収納部
３  第２の収納部
４  支持アーム（収納部支持手段）
５  キャビネット
６  摺動支持部
７ａ、７ｂ  姿勢規制手段
８  案内手段
１９  てこ機構
２５  減幅作用点
２６  増幅作用点
２０ａ、２０ｂ  直動型ダンパー装置（荷重緩衝手段）
２９ａ、２９ｂ  駆動シャフト
Ｏ  回転支点
Ｐ１  第１の収納部の支持支点
Ｐ２  第２の収納部の支持支点
【図１】
0003704963.tif 000002
【図２】
0003704963.tif 000003
【図３】
0003704963.tif 000004
【図４】
0003704963.tif 000005
【図５】
0003704963.tif 000006
【図６】
0003704963.tif 000007
【図７】
0003704963.tif 000008
【図８】
0003704963.tif 000009
【図９】
0003704963.tif 000010
【図１０】
0003704963.tif 000011
【図１１】
0003704963.tif 000012
【図１２】
0003704963.tif 000013
【図１３】
0003704963.tif 000014